(57)【要約】【課題】  洗浄ウェブ全体を回転体に所定の接触圧によって押し付けるための調整作業を容易かつ短時間で行う。【解決手段】  支持ステー１１の両端部１１ａに設けたねじ孔１１ｄに螺合するボルト１２と支持ブロック１５とを介して、支持ステー１１は洗浄フレーム４に支持されている。支持ステー１１のゴム胴と反対側の面１１ｃには、中央部１１ｄを除く部位に支持ステー補強用部材１３，１３が設けられている。調整用ボルト１２をねじ孔１１ｄにねじ込むと、支持ステー１１全体は洗浄フレーム４の角部１４ｂを支点として中央部１１ｄがゴム胴側に突出するように湾曲状に弾性変形する。したがって、ゴム胴にゴム胴洗浄装置３を押し付けた状態で調整ボルト１２をねじ込むと、ゴム胴からの反力が支持ステー１１の弾性変形によって相殺される。【選択図】  図３
2006256200.tif 000002
【特許請求の範囲】
【請求項１】
洗浄ウェブを移動可能に支持する洗浄ユニット本体と、
前記洗浄ウェブを回転体に当接させて回転体を洗浄する押圧部材とを備えた回転体の洗浄装置において、
前記押圧部材の前記回転体の軸線方向における中央部以外を前記回転体と反対方向に変形させ、前記押圧部材の前記回転体の軸線方向における中央部を前記回転体方向に変形させる押圧部材変形手段を備えたことを特徴とする回転体の洗浄装置。
【請求項２】
請求項１記載の回転体の洗浄装置において、
前記押圧部材の前記回転体の軸線方向における中央部を前記押圧部材の中央部以外に比べて弾性変形しやすく形成したことを特徴とする回転体の洗浄装置。
【請求項３】
請求項２記載の回転体の洗浄装置において、
前記押圧部材の前記回転体の軸線方向における中央部以外であって前記回転体と反対側の面に補強部材を設けたことを特徴とする回転体の洗浄装置。
【請求項４】
請求項１記載の回転体の洗浄装置において、
前記押圧部材変形手段を、前記押圧部材の前記回転体の軸線方向における中央部以外に当接し押圧部材を弾性変形させる一対の支点と、一対の洗浄フレーム側に支持され前記押圧部材の前記支点よりも外側に設けられた少なくとも一対の締結手段とによって構成したことを特徴とする回転体の洗浄装置。
【発明の詳細な説明】
【技術分野】
【０００１】
本発明は、印刷機等において印刷胴やローラ等に洗浄ウェブを押し当てて洗浄する回転体の洗浄装置に関するものである。
【背景技術】
【０００２】
この種の回転体の洗浄装置においては、洗浄ウェブ全体を回転体の表面に所定の接触圧で押し当てないと洗浄むらが発生するため、洗浄ウェブの回転体に対する接触圧を調整する調整手段が備えられている。従来は、洗浄パッドによってゴム胴の表面に押し当てる洗浄ウェブと、洗浄パッドをゴム胴側に進退させるためにステーに螺合し接触圧調整ねじとを備え、この接触圧調整ねじをゴム胴の軸線方向に等間隔おいて複数個設け、これら複数個の接触圧調整ねじを個別に進退させることによって、洗浄ウェブをゴム胴の表面に軸線方向で均等の接触圧によって押し当てるようにしたものがある。（例えば、特許文献１参照）。
【特許文献１】実用新案登録第２５８８２２４号公報（段落「００１８」および「００１９」、図１）
【発明の開示】
【発明が解決しようとする課題】
【０００３】
上述した従来の回転体の洗浄装置においては、左右方向に長く形成された洗浄パッドを複数個の接触圧調整ねじによって個別に調整していく構造であるため、洗浄ウェブ全体を所定の接触圧でゴム胴に押し当てるのが困難であるとともに、調整に時間が余計にかかるという問題があった。また、ある一つの接触圧調整ねじを前進させ洗浄パッドをゴム胴に押圧すると、ゴム胴からの反力によってステーが撓むため、既に調整している他の接触圧調整ねじを再調整し直さなければならないというように試行錯誤によって再調整を繰り返す必要があるため、調整作業が煩雑で熟練を要するという問題もあった。
【０００４】
本発明は上記した従来の問題に鑑みなされたものであり、その目的とするところは、洗浄ウェブ全体を回転体に所定の接触圧によって押し付けるための調整作業を容易かつ短時間で行える回転体の洗浄装置を提供するところにある。
【課題を解決するための手段】
【０００５】
この目的を達成するために、請求項１に係る発明は、洗浄ウェブを移動可能に支持する洗浄ユニット本体と、前記洗浄ウェブを回転体に当接させて回転体を洗浄する押圧部材とを備えた回転体の洗浄装置において、前記押圧部材の前記回転体の軸線方向における中央部以外を前記回転体と反対方向に変形させ、前記押圧部材の前記回転体の軸線方向における中央部を前記回転体方向に変形させる押圧部材変形手段を備えたものである。
【０００６】
請求項２に係る発明は、請求項１に係る発明において、前記押圧部材の前記回転体の軸線方向における中央部を前記押圧部材の中央部以外に比べて弾性変形しやすく形成したものである。
【０００７】
請求項３に係る発明は、請求項２に係る発明において、前記押圧部材の前記回転体の軸線方向における中央部以外であって前記回転体と反対側の面に補強部材を設けたものである。
【０００８】
請求項４に係る発明は、請求項１に係る発明において、前記押圧部材変形手段を、前記押圧部材の前記回転体の軸線方向における中央部以外に当接し押圧部材を弾性変形させる一対の支点と、一対の洗浄フレーム側に支持され前記押圧部材の前記支点よりも外側に設けられた少なくとも一対の締結手段とによって構成したものである。
【発明の効果】
【０００９】
本発明によれば、押圧部材変形手段によって押圧部材の中央部を回転体方向に変形させることにより発生する押圧部材からの回転体に対する押圧力が、洗浄装置を回転体に押し付けたときに回転体から押圧部材に加わる反力を相殺した上で、洗浄ウェブ全体を回転体に対して軸線方向に所定の接触圧によって押し付けることができるため洗浄不良の発生を規制することができる。また、押圧部材変形手段によって押圧部材全体を一括して弾性変形させることができるため、従来のように試行錯誤によって再調整を繰り返す必要がないから、調整作業を容易かつ短時間で行うことができる。
【発明を実施するための最良の形態】
【００１０】
以下、本発明の実施の形態を図に基づいて説明する。図１は本発明に係る回転体の洗浄装置の側面図、図２は同じく横断面図、図３は同じく調整を行うために支持ステーを弾性変形させた状態を誇張して示す横断面図である。図２において、ブランケット１が周面に巻かれたゴム胴２の前方には、全体を符号３で示す回転体の洗浄装置としてのゴム胴洗浄装置が配設されており、このゴム胴洗浄装置３には、図示しない機台フレームに互いに平行に対向するように支持された左右一対の洗浄フレーム４Ａ，４Ｂが設けられている。このゴム胴洗浄装置３は、支軸を介し機台フレームに揺動自在に支持されており、エアーシリンダ（いずれも図示せず）のロッドを進退させることにより、ゴム胴洗浄装置３全体をゴム胴２に対して着脱させるように構成されている。
【００１１】
左右の洗浄フレーム４Ａ，４Ｂの上部側には、図示しない円筒状の芯材と、この芯材上に別工程で巻き付けられた洗浄ウェブ５とからなる供給ロール６が回転自在かつ着脱自在に軸支されている。また、左右の洗浄フレーム４Ａ，４Ｂの下部側には、図示しない円筒状の芯材と、この芯材に巻き取られる洗浄ウェブ５とからなる巻取ロール７が回転自在かつ着脱自在に軸支されている。このような構成において、巻取りロール７を回転させることにより、供給ロール６から引き出される洗浄ウェブ５が後述する洗浄ウェブ案内部材１７とゴム胴２のブランケット面との間を通過して巻取りロール７に巻き取られる。巻取りロール７には、エアーシリンダの駆動によって揺動するレバーと一方向クラッチとによって巻取りロール７を間欠的に所定角度ずつ回動させる従来から広く知られている定寸送り装置が備えられており、この定寸送り装置によって洗浄ウェブ５が一定量ずつ間欠的に巻取りロール７に巻き取られる。
【００１２】
次に、図２を用いて本発明の特徴である押圧部材変形手段について説明する。同図に全体を符号１０で示す押圧部材変形手段は、洗浄ウェブ５をゴム胴２のブランケット１に押し付ける押圧部材としての支持ステー１１と、この支持ステー１１のゴム胴２の軸線方向における中央部以外、すなわち両端側に当接しこの支持ステー１１を弾性変形させるための支点を形成する上記した左右一対の洗浄フレーム４Ａ，４Ｂと、これら洗浄フレーム４Ａ，４Ｂ側に支持され支持ステー１１に螺合する二対の締結手段としての調整ボルト１２，１２とによって概ね構成されている。
【００１３】
支持ステー１１は扁平な直方体状で矢印Ａ−Ｂ方向の寸法が、図２に示すようにゴム胴２の軸線方向の寸法と略同じ長さに形成されており、矢印Ａ−Ｂ方向の両端部１１ａ，１１ｂには二対のねじ孔１１ｃ，１１ｃが螺設されている。上記した一対の洗浄フレーム４Ａ，４Ｂは、支持ステー１１のねじ孔１１ｃ，１１ｃ間に設けられている。１３，１３は一対の支持ステー補強用部材であって、支持ステー１１のゴム胴２と反対側の面１１ｄの両端側、すなわち洗浄フレーム４Ａ，４Ｂ間であって、支持ステー１１の矢印Ａ−Ｂ方向の中央部１１ｅ以外の部位に取り付けられている。
【００１４】
洗浄フレーム４Ａ，４Ｂの一端１４，１４の矢印Ａ−Ｂ方向の外面には、切欠き１４ａ，１４ａが上下（矢印Ｃ−Ｄ）方向に延在して設けられており、この切欠き１４ａと一端１４とによって鈍角状の角部１４ｂが矢印Ｃ−Ｄ方向に延在して形成され、この角部１４ｂが後述するように支持ステー１１を弾性変形させるときの支点を構成している。１５，１５は挿通孔１５ａが設けられた二対の支持ブロックであって、洗浄フレーム４Ａ，４Ｂの一端１４側の外側に取り付けられている。この支持ブロック１５の挿通孔１５ａに挿通される調整ボルト１２が上記した支持ステー１１のねじ孔１１ｃに螺合されることにより、支持ステー１１は洗浄フレーム４Ａ，４Ｂの一端１４，１４に当接し、調整ボルト１２および支持ブロック１５を介して洗浄フレーム４Ａ，４Ｂに支持されている。
【００１５】
１６は支持ステー１１に取り付けられゴム胴２の軸線方向の寸法と略同じ長さに形成された洗浄パッド、１７は洗浄パッド１６に取り付けられた洗浄ウェブ案内部材である。図１において、１８は洗浄ウェブ案内部材１７の上方に支架されたノズル管であって、図示を省略した洗浄液槽に接続されており、洗浄液槽から供給される洗浄液を噴出する多数のノズル孔が穿設されている。このノズル孔から噴出される洗浄液が洗浄ウェブ案内部材１７とゴム胴２のブランケット１との間に位置する洗浄ウェブ５に吹き付けられるように構成されている。
【００１６】
次に、このように構成されたゴム胴洗浄装置において洗浄ウェブのゴム胴に対する接触圧を調整する操作について説明する。先ず、図示を省略したエアーシリンダのロッドを前進させることにより、ゴム胴洗浄装置３全体を揺動させ、図２に示すようにゴム胴２の周面に押し当てる。上述したように、支持ステー１１の両端側が支持ステー補強用部材１３，１３によって補強され、中央部１１ｅが補強されていないため、この中央部１１ｅが両端部１１ａ，１１ｂよりも変形しやすく形成されている。したがって、ゴム胴洗浄装置３がゴム胴２の周面に押し当てられると、ゴム胴２から支持ステー１１側に加わる矢印Ｅ方向への反力によって、支持ステー１１の中央部１１ｅがゴム胴２と反対側（矢印Ｅ方向）に突出するように支持ステー１１全体が湾曲状に弾性変形する。
【００１７】
この状態で、左右の押圧部材変形手段１０，１０の調整ボルト１２，１２を支持ステー１１のねじ孔１１ｃ，１１ｃにねじ込んでいくことにより、支持ステー１１の両端部１１ａ，１１ｂが図３に示すように、ゴム胴２と反対方向（矢印Ｅ方向）に弾性変形する。ここで、支持ステー１１の中央部１１ｅが両端部１１ａ，１１ｂよりも弾性変形しやすく形成されているとともに、両端部１１ａ，１１ｂよりも矢印Ａ−Ｂ方向の内側において洗浄フレーム４Ａ，４Ｂの一端１４，１４が支持ステー１１に当接し、かつ洗浄フレーム４Ａ，４Ｂの切欠き１４ａ，１４ａが一端１４，１４の外側に設けられている。
【００１８】
したがって、支持ステー１１の両端部１１ａ，１１ｂを、矢印Ｅ方向に弾性変形させると、支持ステー１１の一方の端部１１ａには、洗浄フレーム４Ａの角部１４ｂを支点として時計方向のモーメントが加わり、他方の端部１１ｂには、洗浄フレーム４Ｂの角部１４ｂを支点として反時計方向のモーメントが加わる。このため、支持ステー１１は中央部１１ｅをゴム胴２側（矢印Ｆ方向）に突出させるようにして全体が湾曲状に弾性変形する。
【００１９】
この支持ステー１１の矢印Ｆ方向への湾曲状の弾性変形によって発生する支持ステー１１からのゴム胴２に対する押圧力が、上記したゴム胴２から支持ステー１１に加わる矢印Ｅ方向への反力を相殺した上で、ゴム胴２の軸線方向に対して洗浄ウェブ５全体を所定の接触圧によって押し付けることができるため洗浄不良の発生を規制できる。また、押圧部材変形手段１０によって支持ステー１１全体を一括して弾性変形させることができるため、従来のように試行錯誤によって再調整を繰り返す必要がないから、調整作業を容易かつ短時間で行うことができる。
【００２０】
このようにゴム胴洗浄装置３の調整が終了した後、ゴム胴２を印刷時の速度よりも遅い速度で回転させながら、ノズル管１８のノズル孔から洗浄液を噴出させ、巻取りロール７を定寸送りする。ゴム胴２のブランケット面に付着した紙粉やインキかす等の異物と洗浄液の廃液とは、洗浄パッド１６で押圧された洗浄ウェブ５に拭き取られこの洗浄ウェブ５に転移し、洗浄ウェブ５は異物などを付着させたまま巻取りロール７に巻き取られる。
【００２１】
図４は本発明の第２の実施の形態を示す回転体の洗浄装置の横断面図である。この第２の実施の形態においては、洗浄フレーム４Ａ，４Ｂの一端１４，１４に、矢印Ｃ−Ｄ方向に延在する断面が台形状に形成された支点部材２０がボルト２１によって取り付けられており、鈍角状に形成された頂点２０ａが支点を形成する。すなわち、ボルト１２をねじ込むことにより、上述した第１の実施の形態と同様に、支持ステー１１の両端部１１ａ，１１ｂを、矢印Ｅ方向に弾性変形させると、支持ステー１１の一方の端部１１ａには、支点部材２０の頂点２０ａを支点として時計方向のモーメントが加わり、他方の端部１１ｂには、支点部材２０の頂点２０ａを支点として反時計方向のモーメントが加わる。このため、支持ステー１１は中央部１１ｅをゴム胴２側（矢印Ｆ方向）に突出させるようにして全体が湾曲状に弾性変形する。
【００２２】
図５は本発明の第３の実施の形態を示す回転体の洗浄装置の横断面図である。この第３の実施の形態においては、支持ステー１１の中央部１１ｅのゴム胴２と反対側の面に、頂角がゴム胴２側に対向する断面が三角形の切欠き１１ｆが矢印Ｃ−Ｄ方向に延在している。このように構成されていることにより、支持ステー１１の中央部１１ｅが両端部１１ａ，１１ｂよりもより弾性変形しやすく形成されているため、ボルト１２をねじ込むことにより、上述した第１の実施の形態よりも、支持ステー１１は中央部１１ｅがゴム胴２側（矢印Ｆ方向）に突出させるようにして全体が湾曲状に弾性変形し易い。この第３の実施の形態においては、支持ステー１１の中央部の剛性を低くしているため、必ずしも補強部材１３，１３を必要としない。
【００２３】
図６は本発明の第４の実施の形態を示す回転体の洗浄装置の横断面図である。この第４の実施の形態においては、支持ステー１１の両端部１１ａ，１１ｂに挿通孔１１ｇ，１１ｇを設け、洗浄フレーム４Ａ，４Ｂの挿通孔１５ａ，１５ａに挿通した締結手段としての調整ボルト２２，２２を挿通孔１１ｇ，１１ｇに挿通させ、この調整ボルト２２，２２に締結手段としてのナット２３，２３を螺合させている。このような構成において、ナット２３の回動を規制した状態で、調整ボルト２２をねじ込むことにより、上述した第１の実施の形態と同様に、支持ステー１１の両端部１１ａ，１１ｂを、矢印Ｅ方向に弾性変形させると、支持ステー１１の一方の端部１１ａには、洗浄フレーム４Ａの角部１４ｂを支点として時計方向のモーメントが加わり、他方の端部１１ｂには、洗浄フレーム４Ｂの角部１４ｂを支点として反時計方向のモーメントが加わる。このため、支持ステー１１は中央部１１ｅをゴム胴２側（矢印Ｆ方向）に突出させるようにして全体が湾曲状に弾性変形する。
【００２４】
なお、上述した本発明の実施の形態においては、ゴム胴を洗浄する例を示したが、圧胴を洗浄してもよく、また、ローラやころ等の回転体であってもよい。
【図面の簡単な説明】
【００２５】
【図１】本発明に係る回転体の洗浄装置の側面図である。
【図２】本発明に係る回転体の洗浄装置の横断面図である。
【図３】本発明に係る回転体の洗浄装置において、調整を行うために支持ステーを弾性変形させた状態を誇張して示す横断面図である。
【図４】本発明の第２の実施の形態を示す回転体の洗浄装置の横断面図である。
【図５】本発明の第３の実施の形態を示す回転体の洗浄装置の横断面図である。
【図６】本発明の第４の実施の形態を示す回転体の洗浄装置の横断面図である。
【符号の説明】
【００２６】
１…ブランケット、２…ゴム胴（回転体）、３…ゴム胴洗浄装置（回転体の洗浄装置）、４Ａ，４Ｂ…洗浄フレーム、５…洗浄ウェブ、６…供給ロール、７…巻取りロール、１０…押圧部材変形手段、１１…支持ステー、１１ａ，１１ｂ…両端部、１１ｃ…ねじ孔、１１ｅ…中央部、１１ｆ…切欠き、１２，２２…調整ボルト（締結手段）、１３…支持ステー補強用部材、１４ｂ…角部（支点）、１８…ノズル、２１…支点部材、２３…ナット（締結手段）。
【図１】
2006256200.tif 000003
【図２】
2006256200.tif 000004
【図３】
2006256200.tif 000005
【図４】
2006256200.tif 000006
【図５】
2006256200.tif 000007
【図６】
2006256200.tif 000008